(57)【特許請求の範囲】
【請求項１】
ハンドルを押し込み操作してカム歯車を所定量回転させ、カム歯車のカムにより接点付き接触ばねをそのばね力に抗して押圧して変位させ、また、カム歯車のカムが接触ばねから離れようとすることで接触ばねをそのばね力にて復帰させて上記接点を開閉するロータリーカムスイッチであって、カム歯車の周方向に間隔を隔てて回転係止爪が形成され、ハンドル側には回転係止爪に係入してカム歯車を押圧回転させる押圧片が設けられ、押圧片が係止してカム歯車を接点付き接触ばねのばね力に抗して接点付き接触ばねを変位させるための回転係止爪の深さを浅く、押圧片が係止してカム歯車を接点付き接触ばねのばね力にて接点付き接触ばねを復元するための回転係止爪の深さを深くしてあることを特徴とするロータリーカムスイッチ。
【発明の詳細な説明】
【０００１】
【発明の属する技術分野】
本発明は、接点を開閉するロータリーカムスイッチに関し、詳しくは、ヘヤードライヤ等のように多段に切換えをおこなうロータリーカムスイッチに関し、更に詳しくは、カム歯車を接触ばねのばね力に抗して操作する操作力と、カム歯車を接触ばねの復元方向に操作する操作力との差をなくすようにして、ロータリーカムスイッチの操作性を高めようとする技術に係るものである。
【０００２】
【従来の技術】
従来、図２及び図３に示すように、ロータリーカムスイッチＡａにおいては、ケーシング１０に、固定接点１１ａ，１１ｂを備えた固定端子１２，１２が二個取付けられ、可動接点３ａ，３ｂを備えた接触ばね３，３が取付けられ、接触ばね３には端子１４が接続され、接触ばね３はそのばね力にて可動接点３ａ，３ｂを固定接点１１ａ，１１ｂに接触するように付勢されている。
【０００３】
ケーシング１０には、カム歯車２が軸１５を介して戻り止め機能を備えた抵抗ばね８に抗して一定方向にのみ回転自在に設けられ、カム歯車２には二個のカム２ａ，２ｂが付設されている。また、ケーシング１０には、コイル状のスプリング５に抗してハンドル１が押し込み操作自在に設けられている。ハンドル１にはばね板にて形成された押圧片７が設けられ、カム歯車２には周方向に間隔を隔てて回転係止爪６…が形成されている。
【０００４】
しかして、ハンドル１をスプリング５に抗して押し込み操作してカム歯車２を所定量（回転係止爪６…の１ピッチ分）回転させ、カム歯車２のカム２ａ，２ｂにより接点付き接触ばね３，３をそのばね力に抗して押圧して変位させ、また、カム歯車２のカム２ａ，２ｂが接触ばね３，３から離れようとすることで接触ばね３，３をそのばね力にて復帰させて接点を開閉するロータリーカムスイッチＡａが構成されている。
【０００５】
ところで、従来のロータリーカムスイッチＡａにおいては、回転係止爪６の爪先端から爪基端部に至る深さＤは一様に比較的深くなっていた。
ところで、図２は可動接点３ａ，３ｂがともに固定接点１１ａ，１１ｂに接触している２接点のオン状態を示し、ヘアードライヤのホット（ＨＯＴ）操作状態となっている。図４は一方の可動接点３ｂがオン、他方の可動接点３ａがオフの状態を示し、ヘアードライヤのコールド（ＣＯＬＤ）操作状態となっている。図５は可動接点３ａ，３ｂがともにオフ状態を示し、ヘアードライヤのオフ操作状態となっている。図６は″つっかかり″（後述）発生時の動作図を示している。
【０００６】
【発明が解決しようとする課題】
ところで、このような構成のものにおいては、接触ばね３のばね力に抗してカム歯車２を回転させる操作力が大きく、接触ばね３がばね力にて復帰する方向にカム歯車２を回転させる操作力が小さくなるものである。このように、ハンドル１を押圧する操作力に差が生じ、ロータリーカムスイッチにおける操作性が悪いものとなっていた。また、ハンドル１側の押圧片７が比較的深くなっている回転係止爪６に深く係合することで、″つっかかり″が発生し、これを乗り越えて操作する操作力が一層大きくなるという問題があった。
【０００７】
本発明はこのような問題に鑑みてなされたものであり、その目的とするところは、カム歯車を接触ばねのばね力に抗して操作する操作力と、カム歯車を接触ばねの復元方向に操作する操作力との差をなくすようにして、ロータリーカムスイッチの操作性を高めることができるロータリーカムスイッチを提供しようとするにある。
【０００８】
【課題を解決するための手段】
請求項１においては、ハンドル１を押し込み操作してカム歯車２を所定量回転させ、カム歯車２のカム２ａにより接点付き接触ばね３をそのばね力に抗して押圧して変位させ、また、カム歯車２のカム２ａが接触ばね３から離れようとすることで接触ばね３をそのばね力にて復帰させて上記接点３ａを開閉するロータリーカムスイッチであって、カム歯車２の周方向に間隔を隔てて回転係止爪６…が形成され、ハンドル１側には回転係止爪６に係入してカム歯車２を押圧回転させる押圧片７が設けられ、押圧片７が係止してカム歯車２を接点付き接触ばね３のばね力に抗して接点付き接触ばね３を変位させるための回転係止爪６ａの深さを浅く、押圧片７が係止してカム歯車２を接点付き接触ばね３のばね力にて接点付き接触ばね３を復元するための回転係止爪６ｂの深さを深くしてあることを特徴とするものである。
【０００９】
請求項１においては、深さが浅い回転係止爪６ａにおいては、これに押圧片７を係入することで、カム歯車２を軽い操作力にて回転操作がおこなえ、また、深さが深い回転係止爪６ｂに押圧片７を係入することで、カム歯車２の回転操作力を大きくでき、このように、回転係止爪６…の深さを変えることで、カム歯車２の回転操作力に差を付けることができ、したがって、接触ばね３に対してそのばね力に抗してカム歯車２を回転する場合には、深さの浅い回転係止爪６が対応するように組立て、また、接触ばね３に対してそのばね力にてカム歯車２を回転される場合には、深さの深い回転係止爪６ｂが対応するように組立て、しかして、ハンドル１の操作力に差がないようにでき、ロータリーカムスイッチの操作性を向上させることができる。
【００１０】
【発明の実施の形態】
以下本発明の一実施の形態を図面に基づいて詳述する。
本発明のロータリーカムスイッチＡの基本構成は、図２及び図３において詳述した従来例の構成と同じであるので、全体説明を省き、本発明において特徴とする構成を詳述する。図１に示すように、多数の回転係止爪６…の爪先端から爪根元部までの深さＤを異ならせたものである。即ち、押圧片７が係止してカム歯車２を接触ばね３のばね力に抗して接触ばね３を変位させるための回転係止爪６の深さを浅く、押圧片７が係止してカム歯車２を接触ばね３のばね力にて接触ばね３を復元させるための回転係止爪６ｂの深さＤを深くしてある。
【００１１】
しかして、ハンドル１をスプリング５に抗して押し込み操作してカム歯車２を所定量回転させ、カム歯車２のカム２ａにより接点付き接触ばね３をそのばね力に抗して押圧して変位させ、また、カム歯車２のカム２ａが接触ばね３から離れようとすることで接触ばね３をそのばね力にて復帰させて上記接点３ａを開閉するロータリーカムスイッチであって、カム歯車２の周方向に間隔を隔てて回転係止爪６…が形成され、ハンドル１側には回転係止爪６に係入してカム歯車２を押圧回転させる押圧片７が設けられ、回転係止爪６…の爪先端から爪根元部までの深さＤを異ならせるによって、深さＤが浅い回転係止爪６ａにおいては、これに押圧片７を係入することで、カム歯車２を軽い操作力にて回転操作がおこなえ、また、深さＤが深い回転係止爪６ｂに押圧片７を係入することで、カム歯車２の回転操作力を大きくでき、このように、回転係止爪６…の深さＤを変えることで、カム歯車２の回転操作力に差を付けることができ、したがって、接触ばね３に対してそのばね力に抗してカム歯車２を回転する場合には、深さＤの浅い回転係止爪６が対応するように組立て、また、接触ばね３に対してそのばね力にてカム歯車２を回転される場合には、深さＤの深い回転係止爪６が対応するように組立て、しかして、ハンドル１の操作力に差がないようにでき、ロータリーカムスイッチの操作性を向上させることができるのである。
【００１２】
即ち、押圧片７が係止してカム歯車２を接触ばね３のばね力に抗して接触ばね３を変位させるための回転係止爪６ａの深さＤを浅く、押圧片７が係止してカム歯車２を接触ばね３のばね力にて接触ばね３を復元させるための回転係止爪６ｂの深さＤを深くしてあるから、深さＤの浅い回転係止爪６ａに押圧片７を係止し、接触ばね３に対してそのばね力に抗してカム歯車２を回転させ、また、深さＤの深い回転係止爪６ｂに押圧片７を係止し、接触ばね３に対してそのばね力にてカム歯車２を回転させ、しかして、ハンドル１の操作力に差がないようにでき、ロータリーカムスイッチの操作性を向上させることができるのである。
【００１３】
【発明の効果】
請求項１においては、ハンドルを押し込み操作してカム歯車を所定量回転させ、カム歯車のカムにより接点付き接触ばねをそのばね力に抗して押圧して変位させ、また、カム歯車のカムが接触ばねから離れようとすることで接触ばねをそのばね力にて復帰させて上記接点を開閉するロータリーカムスイッチであって、カム歯車の周方向に間隔を隔てて回転係止爪が形成され、ハンドル側には回転係止爪に係入してカム歯車を押圧回転させる押圧片が設けられ、押圧片が係止してカム歯車を接点付き接触ばねのばね力に抗して接点付き接触ばねを変位させるための回転係止爪の深さを浅く、押圧片が係止してカム歯車を接点付き接触ばねのばね力にて接点付き接触ばねを復元するための回転係止爪の深さを深くしてあるから、深さが浅い回転係止爪においては、これに係入することで、カム歯車を軽い操作力にて回転操作がおこなえ、また、深さが深い回転係止爪に押圧片を係入することで、カム歯車の回転操作力を大きくでき、このように、回転係止爪の深さを変えることで、カム歯車の回転操作力に差を付けることができ、したがって、接触ばねに対してそのばね力に抗してカム歯車を回転する場合には、深さの浅い回転係止爪が対応するように組立て、また、接触ばねに対してそのばね力にてカム歯車を回転される場合には、深さの深い回転係止爪が対応するように組立て、しかして、ハンドルの操作力に差がないようにでき、ロータリーカムスイッチの操作性を向上させることができるという利点がある。
【図面の簡単な説明】
【図１】本発明の一実施の形態の断面図である。
【図２】従来例の断面図であり、可動接点が共に固定接点に接触している２接点のオン状態を示し、ヘアードライヤのホット（ＨＯＴ）操作状態を示している。
【図３】従来例の平面図である。
【図４】従来例の動作を示す断面図であり、一方の可動接点がオン、他方の可動接点がオフの状態を示し、ヘアードライヤのコールド（ＣＯＬＤ）操作状態を示している。
【図５】従来例の動作を示す断面図であり、可動接点が共にオフ状態を示し、ヘアードライヤのオフ操作状態を示している。
【図６】従来例の動作を示す断面図であり、″つっかかり″発生時の動作を示している。
【符号の説明】
１  ハンドル
２  カム歯車
３  接触ばね
５  スプリング
６  回転係止爪
７  押圧片
【図１】
0003697746.tif 000002
【図２】
0003697746.tif 000003
【図３】
0003697746.tif 000004
【図４】
0003697746.tif 000005
【図５】
0003697746.tif 000006
【図６】
0003697746.tif 000007